(57)【特許請求の範囲】
【請求項１】
第１のユニットと第２のユニットを含む電気通信ネットワークにおいて、
前記第２のユニットは、前記第１のユニットから受信されるデータの精度を表現するブロックエラー率（ＢＬＥＲ）の値を決定して、前記値を前記第１のユニットに送信する手段を含み、
前記第１のユニットは、前記値に応じて、前記第１のユニットから前記第２のユニットにデータを送る最大電力を調整するように構成された、
ことを特徴とする電気通信ネットワーク。
【請求項２】
前記第１のユニットは基地局であり、
前記第２のユニットは加入者ユニットであり、
両方のユニットは、無線通信によってデータを送信するように構成され、
前記調整される最大電力は、最大ダウンリンク電力である、
ことを特徴とする請求項１の電気通信ネットワーク。
【請求項３】
前記最大電力（Ｐｍａｘ）は、前記ブロックエラー率（ＢＬＥＲ）の値が所定のしきい値より低いか否かに応じて下方修正される、
ことを特徴とする請求項１の電気通信ネットワーク。
【請求項４】
前記最大電力（Ｐｍａｘ）は、前記ブロックエラー率（ＢＬＥＲ）の値が所定のしきい値より高いか否かに応じて上方修正される、
ことを特徴とする請求項１の電気通信ネットワーク。
【請求項５】
前記しきい値は、呼において伝搬されるペイロードデータのタイプに応じて選択される、
ことを特徴とする請求項３の電気通信ネットワーク。
【請求項６】
前記最大電力（Ｐｍａｘ）は、調整が要求されていると決定した場合に離散ステップ（Δステップ）だけ最大電力を増減することによって調整される、
ことを特徴とする請求項１の電気通信ネットワーク。
【請求項７】
前記最大ダウンリンク電力（Ｐｍａｘ）は、
Ｐｍａｘ（ｔ）＝Ｐｍａｘ（ｔ−１）＋ｓ．Δｓｔｅｐ
という関係にしたがって調整され、ここでｔは現在の調整ステップの時刻、ｔ−１は前回の調整ステップの時刻、ｓは前記最大電力を増加させるか減少させるかに応じてプラスまたはマイナスであり、Δｓｔｅｐは与えられる最大電力におけるステップ変化である
ことを特徴とする請求項５の電気通信ネットワーク。
【請求項８】
前記ブロックエラー率（ＢＬＥＲ）の値の決定、前記第１のユニットへの前記値の送信、及び前記値の調整が、前記第１のユニットと前記第２のユニットとの間の呼の間に繰り返される、
ことを特徴とする請求項１の電気通信ネットワーク。
【請求項９】
前記ネットワークは、ＵＭＴＳネットワークまたは他の第３世代ネットワークである、
ことを特徴とする請求項１の電気通信ネットワーク。
【請求項１０】
前記第１のユニットは、基地局（ＵＴＲＡＮ）であり、前記基地局は、無線通信ネットワークコントローラ（ＲＮＣ）と前記コントローラに制御される少なくとも１つの送受信局（ノードＢ）とを含み、前記コントローラは、前記送受信局（ノードＢ）に対して、前記値に応じて最大ダウンリンク送信電力を調整するよう指示するように構成された、
ことを特徴とする請求項９の電気通信ネットワーク。
【請求項１１】
前記調整される最大電力は、外ループ最大電力である、
ことを特徴とする請求項９の電気通信ネットワーク。
【請求項１２】
電気通信ネットワークにおいて第１のユニットと第２のユニットとの間の呼における最大ダウンリンク電力を調整する方法において、
前記第２のユニットによって、前記第１のユニットから受信したデータの精度を表現するブロックエラー率（ＢＬＥＲ）の値を決定するステップと、
前記第２のユニットによって、前記値を前記第１のユニットに送信するステップと、
前記第１のユニットによって、前記値に応じて、前記第１のユニットから前記第２のユニットにデータを送る最大電力を調整するステップと、
を含むことを特徴とする方法。
【請求項１３】
基地局であって、前記基地局からダウンリンク送信されるデータが受信される精度を表現するブロックエラー率（ＢＬＥＲ）の値を加入者ユニットから受信する手段と、
前記値に応じてダウンリンクデータ送信用の最大ダウンリンク電力を調整する手段と、
を含むことを特徴とする基地局。
【請求項１４】
無線通信ネットワークコントローラ（ＲＮＣ）と前記無線通信ネットワークコントローラに制御される少なくとも１つの送受信局（ノードＢ）とをさらに含み、前記無線通信ネットワークコントローラは、前記送受信局（ノードＢ）に対して、受信された前記値に応じて最大ダウンリンク送信電力を調整するよう指示するように構成された、
ことを特徴とする請求項１３の基地局。
【請求項１５】
加入者ユニットによって受信されるデータの精度を表現するブロックエラー率（ＢＬＥＲ）の値を、前記値と少なくとも１つのしきい値とを比較し、その比較結果に応じて、送受信局（ノードＢ）の最大ダウンリンク送信電力を調整するための制御信号を生成することによって処理する比較手段を備えた、
ことを特徴とする無線通信ネットワークコントローラ（ＲＮＣ）。
【発明の詳細な説明】
【０００１】
【発明の属する技術分野】
本発明は、電気通信ネットワークと、最大送信電力調整方法、ベース局、および無線通信ネットワークコントローラ、に関する。
【０００２】
【従来の技術】
周知のように、例えば第３世代の世代協力プロジェクトの技術明細文献ＴＳ２５．４３３、ＴＳ２５．２１４、およびＴＳ２５．３３１、例えば、国際携帯電話サービス（ＵＭＴＳ）ネットワークにおいては、共通の周波数帯域を共用する複数の加入者に対する信号間の干渉を最小限にするために、ベース局（ノードＢ）から加入者ユニット（ユーザ機器ＵＥ）に対してダウンリンク送信される信号の電力を制御することが要求されている。
【０００３】
上記の標準において議論されている、いわゆる外ループ電力制御（ＯＬＰＣ）に対する要求が存在する。本質的に、このことは、より遅い（またはより速い）ダウンリンク送信電力制御、すなわち、より速くより詳細な調整に関する内ループ電力制御と比較されるような、最大ダウンリンク送信電力制御に関連する。
【０００４】
ＵＭＴＳ地球無線通信アクセスネットワーク（ＵＴＲＡＮ）において、特に、ＵＴＲＡＮの無線通信ネットワークコントローラ（ＲＮＣ）において、ダウンリンク送信電力制御ブロックを配置することは知られている。このことは、多様な加入者ユニット（ＵＥ）用のダウンリンク送信に対して受容されるべき干渉無線通信に対する信号の予測に基づいて、無線通信ネットワークコントローラによるダウンリンク送信電力の設定を可能にする。しかしながら、ベース局（ノードＢ）と加入者ユニット（ＵＥ）の間の無線通信リンク（Ｕｕ干渉）を横切って要求されるより多くの信号はまた、無線通信ネットワークコントローラによってさらに処理されなければならない。
【０００５】
個々の加入者ユニット（ＵＥ）自身において制御ブロックダウンリンク送信電力を設けることもよく知られている。周知のダウンリンク外ループ電力制御において、ＵＥは、計測されたＳＩＲ（ＳＩＲ評価値）をＳＩＲ目標と比較する。ＳＩＲ評価値が、ＳＩＲ目標より低い場合には、ＵＥは、その送信電力を増大させることをベース局（ＵＴＲＡＮ）に要求する送信電力制御コマンド（ＴＰＣ）を送信する。この周知の手法において、加入者ユニット（ＵＥ）は、ＵＴＲＡＮからダウンリンク送信電力を全体的に制御する。加入者ユニットにおけるＳＩＲ目標を決定する場合に考慮すべきダウンリンク信号を低減する効果は有利であるけれども、特にそのＲＡＫＥ受信機においては、ベース局（ ノードＢ）と加入者ユニット（ＵＥ）との間の信号トラフィックを低減することが要求されており、この周知の手法には、少なくとも１つのかなり不利な点が存在する。
【０００６】
加入者ユニットの製造者が必要なＳＩＲ目標より厳密に設定する結果、使用される厳密に必要なダウンリンク送信電力レベルより高くなることがある。この結果は、予測不可能な高い干渉につながる可能性がある。
【０００７】
【発明が解決しようとする課題】
したがって、本発明の目的は、不要または過度のＳＩＲ目標の設定を防止できるような電気通信ネットワーク、最大ダウンリンク電力調整方法、ベース局、および無線通信ネットワークコントローラを提供することである。
【０００８】
【課題を解決するための手段】
上記の目的は、本発明によって達成される。
本発明は、第１と第２のユニットを含む電気通信ネットワークを提供する。ここで、第２のユニットは、第１のユニットから受信されるデータの精度を表現する値を決定して、その値を第１のユニットに送信する手段を含む。また、第１のユニットは、前記値に応じて、第１のユニットから第２のユニットにデータを送る最大電力を調整するように構成される。
【０００９】
好ましくは、第１のユニットはベース局であり、第２のユニットは加入者ユニットであり、両方のユニットは、無線通信によってデータを送信するように構成され、調整される最大電力は、最大ダウンリンク電力である。
【００１０】
本発明は、好ましい形態において、不要または過度に高いベース局送信電力と間接的な干渉問題を生じるような不要または過度のＳＩＲ目標を加入者ユニットに設定する問題を解決する。
【００１１】
好ましくは、最大ダウンリンク（ＤＬ）送信電力は、初期の無線通信リンク設定段階において設定されるだけでなく、呼のライフサイクル全体の間に調整されて、加入者ユニットＵＥによって要求されるベース局ＵＴＲＡＮ送信電力を限定する。
【００１２】
好ましくは、最大ダウンリンク（ＤＬ）送信電力は、呼のライフサイクル全体の間に繰り返し調整され、加入者ユニットＵＥに送信するために要求されるＵＴＲＡＮ送信電力を限定する。
【００１３】
好ましくは、ＵＴＲＡＮ用の最大ダウンリンク電力を表現する情報要素（値）は、特定の加入者ユニットに対するダウンリンク送信電力を動的に調整（すなわち、呼の間の「進行中の」調整）するために使用される。このことは、必要なダウンリンク電力より高い過度の不要なＳＩＲ目標を設定することによって、「利己的なＵＥ」が必要な送信電力を越えた送信電力を要求することを防止する。ＵＴＲＡＮ送信電力は、有限の資源であるので、「利己的なＵＥ」は、他のＵＥを犠牲にしてより大きな電力を要求する可能性がある。
【００１４】
本発明はまた、電気通信ネットワークにおける第１のユニットと第２のユニットとの間の呼における最大ダウンリンク電力を調整する方法を提供する。この方法は、第２のユニットによって、第１のユニットから受信したデータの精度を表現する値を決定するステップと、第２のユニットによって、前記値を第１のユニットに送信するステップと、第１のユニットによって、前記値に応じて、第１のユニットから第２のユニットにデータを送る最大電力を調整するステップと、を含むことを特徴とする。
【００１５】
本発明はまた、ベース局を提供する。このベース局は、ベース局からダウンリンク送信されるデータが受信される精度を表現する値を加入者ユニットから受信する手段と、前記値に応じてダウンリンクデータ送信用の最大ダウンリンク電力を調整する手段と、を含むことを特徴とする。
【００１６】
本発明はまた、無線通信ネットワークコントローラ（ＲＮＣ）を提供する。このＲＮＣは、加入者ユニットによって受信されるデータの精度を表現する値を、その値と少なくとも１つのしきい値とを比較し、その比較結果に応じて、送受信局（ノードＢ）の最大ダウンリンク送信電力を調整するための制御信号を生成することによって処理する手段を備えたことを特徴とする。
【００１７】
【発明の実施の形態】
図２に示すように、送受信局（ノードＢ）、それを制御する（奉仕する）無線通信ネットワークコントローラ（ＳＲＮＣ）、および特定の加入者ユニット（ＵＥ）は、呼を確立するために次のように動作する。
【００１８】
「ステップ１」：無線通信制御（ＲＲＣ）接続は、専用の制御チャネル（ＤＣＣＨ）、言い換えれば、信号チャネル上で設定されており、無線通信伝搬手段の生成、すなわち、呼の設定が決定される。
【００１９】
「ステップ２」：ＳＲＮＣは、ノードＢに対してその呼に対して許容された最大ダウンリンク送信電力の値を送信する。許容電力値は、サービスのタイプ（データ、音声、画像）と加入者ユニットのタイプに依存するので、サービスとＵＥの特性である。
【００２０】
「ステップ３」：無線通信伝搬手段の一部が設定されると、ダウンリンク受信品質目標、すなわち、ブロックエラー率（ＢＬＥＲ）目標は、呼を伝搬するための専用チャネル（ＤＣＨ）上でＵＥにダウンリンク送信される。
【００２１】
「ステップ４」：受信されたＢＬＥＲ目標または異なるタイプのサービスに対して受信されたＢＬＥＲ目標（音声、データ、ＦＡＸ等）に基づいて、ＵＥによって要求される信号干渉率（ＳＩＲ）が決定される。これは、ＵＥの構成に依存する。ＵＭＴＳ標準によって要求されるように、取り扱い可能な各種のサービス（例えば、音声、ＦＡＸ、データ、画像）に対して要求されるＢＬＥＲ目標が存在する。
【００２２】
「ステップ５」：ＵＥは、呼の設定が完了したことをノードＢを介してＳＲＮＣに知らせる。
「ステップ６」：ユーザデータが送信される。
【００２３】
（図２のステップ６とステップ１０に示すように）ユーザデータが送信されると同時に、図２に示す機能ステップ７〜９が、次のように実行される。
【００２４】
「ステップ７」：ＵＥは、各専用チャネルに対してそのＢＬＥＲ評価を定期的に報告する。
「ステップ８」：ＵＴＲＡＮは、適度な時間の間、報告されたＢＬＥＲ評価を審査することによって、ダウンリンク送信電力を調整（例えば下方修正）すべきか否かを決定する。
【００２５】
「ステップ９」：ＵＴＲＡＮが、そのような決定を行なった場合に、ＲＮＣは、特定の加入者ユニットに送信するために使用される情報要素（ＩＥ）の「最大ＤＬ電力」を含む無線通信リンク再構成要求を送信することによって、ノードＢにその最大ダウンリンク送信電力を調整するように通知する。
【００２６】
ステップ７〜ステップ９は、呼の過程の間、繰り返し自動的に行なわれる。
【００２７】
最大ダウンリンク電力レベルは、段階的に調整されるが、その調整幅は、無線通信ネットワークコントローラ（ＳＲＮＣ）によって設定される。１つの調整幅は、例えば、３５ｄＢ〜１５ｄＢの範囲で使用される場合に、少なくとも０．１ｄＢであり、迅速な調整を達成する。（最小電力の調整幅は、ＵＭＴＳの第３世代の世代協力プロジェクト標準においては、その電力範囲で０．１ｄＢと定義されている。
【００２８】
ダウンリンク送信電力調整
図２に示す機能ステップ８は、図３により詳細に示されており、その内容は次の通りである。
【００２９】
「ステップ８．１」：無線通信ネットワークコントローラＲＮＣは、加入者ユニットから受信した無線通信資源制御ＲＲＣメッセージ「測定報告」から情報要素ＩＥの「ＢＬＥＲ評価」（ＢＬＥＲはブロックエラー率）を抽出する。ＲＲＣメッセージは、ＲＮＣが、例えば、ＵＴＲＡＮ送信電力を意味する加入者ユニットの「ＵＥ  ＢＬＥＲ」が過度であるか否かについての判断を行なうことができるように、適当な頻度で、ＵＥからＲＮＣに対して定期的に報告される。
【００３０】
「ステップ８．２」：ＲＮＣは、ＲＮＣによって設定されるＢＬＥＲ目標とＵＥによって測定されたＢＬＥＲ評価とを比較して、ダウンリンク電力調整が要求されるか否かを決定する。各タイプの呼は、サービスの許容品質を保証するために関連付けられたＢＬＥＲ目標を持つ。したがって、例えば、音声のみのペイロードデータを伝搬する種類の呼は、例えば画像を伝搬するための異なるしきい値を持つ。
【００３１】
「ステップ８．３」：ＲＮＣは、「＋」または「−」の調整、すなわち、上方修正または下方修正が必要であるか否かを決定する。これは、前のステップ８．２における比較に基づいて行なわれる。いくつかの形態においては、調整が必要であるか否かは、難しい無線通信環境における相当複雑な問題である。これらのシナリオにおいて、制御された調整は、ダウンリンク送信電力が、過度に増大したり減少したりすることを防止するための予防策として使用される。
【００３２】
「ステップ８．４」：ＲＮＣは、調整用の段階（または傾斜）を決定する。再帰アルゴリズムは、式：
Ｐｍａｘ（ｔ）＝Ｐｍａｘ（ｔ−１）＋ｓ．Δｓｔｅｐ
として与えられる。
【００３３】
ここで、Ｐｍａｘ（ｔ）は、時刻ｔにおける加入者ユニットＵＥに対する最大ダウンリンク電力レベルであり、Ｐｍａｘ（ｔ−１）は、前回の時刻（ｔ−１）における加入者ユニットＵＥに対する最大ダウンリンク電力レベルである。また、ｓは、ステップ８．３において決定される「＋」または「−」の記号であり、Δｓｔｅｐは、最大ダウンリンク送信電力を変化させるための電力更新ステップである。Δｓｔｅｐの値は、次のファクターにしたがって設定される。すなわち、ファクターは、ＲＲＣメッセージ「測定報告」の頻度、ＢＬＥＲ評価（低いＢＬＥＲ評価は、より大きな調整幅を要求する）、調整の精度、調整の時刻遅延、サービスタイプ（例えば、音声、データ、等）、サービスデータ速度、サービスの組み合わせ（例えば、マルチメディアまたは単一のサービスタイプ）、および、無線通信環境（マルチパスフェーディング、および天気）、である。
【００３４】
「ステップ８．５」：ＲＮＣは、Ｐｍａｘの新しい値を決定する。これは、ステップ８．４で述べたように、計算によって行なわれる。Ｐｍａｘは、最大ＤＬ送信電力を表現する情報要素ＩＥに翻訳される。
【００３５】
「ステップ８．６」：ＲＮＣは、最大ＤＬ送信電力用の情報要素ＩＥを含むメッセージ「無線通信リンク再構成」を構築し、このメッセージをノードＢに送信して、ノードＢの最大ダウンリンク送信電力を調整する。
【００３６】
なお、本発明は、上記の形態に限定されるものではなく、本発明の範囲内で他にも多種多様な変形例が実施可能である。
【００３７】
【発明の効果】
以上説明したように、本発明によれば、不要または過度のＳＩＲ目標の設定を防止できるような電気通信ネットワーク、最大ダウンリンク電力調整方法、ベース局、および無線通信ネットワークコントローラを提供することができる。
【図面の簡単な説明】
【図１】本発明を適用したＵＭＴＳネットワークを示すブロック図。
【図２】本発明を適用した呼の確立と、呼の間のダウンリンク送信電力の制御における通信手順（ステップ１〜１０）を示すフローチャート。
【図３】本発明において、最大ダウンリンク電力を制御する無線通信ネットワークコントローラ（ＳＲＮ）の動作手順、すなわち、図２に示すステップ８の詳細を示すフローチャート。
【図１】
0004004853.tif 000002
【図２】
0004004853.tif 000003
【図３】
0004004853.tif 000004